【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
ベニヤエレメント（１０、２０）の製造方法において、
基材（１）と、第１面（１４、３５）及び第２面（１５、３６）を持ち、前記第１面（１４、３５）は前記第２面（１５、３６）とは反対側である木材ベニヤ層（５、２１）とを提供する工程と、
接着剤層（３）を前記基材（１）上及び／又は前記木材ベニヤ層（５、２１）の前記第１面（１４、３５）上に配置する工程と、
前記木材ベニヤ層（５、２１）を前記基材（１）にプレスする工程とを含み、
プレス後、前記接着剤層（３）からの接着剤（２）が、前記木材ベニヤ層（５、２１）の前記第１面（１４、３５）から前記木材ベニヤ層（５、２１）の厚さの１０％以上延びる前記木材ベニヤ層（５、２１）の第１部分（１１、３１）に存在し、
プレス後、前記木材ベニヤ層（５、２１）の前記第２面（１５、３６）には、前記接着剤層（３）からの前記接着剤（２）が実質的になく、
プレス後、前記木材ベニヤ層（５、２１）は、プレス前のその厚さの８０％以下の厚さに圧縮される、方法。
【請求項２】
プレス後、前記木材ベニヤ層（５、２１）の前記第２面（１５、３６）へ延びる前記木材ベニヤ層（５、２１）の小孔又は導管の４０％未満、好ましくは３０％未満、更に好ましくは２０％未満が、前記接着剤層（３）からの前記接着剤（２）で、前記木材ベニヤ層（５、２１）の前記第２面（１５、３６）まで充填される、請求項１に記載の方法。
【請求項３】
プレス後、前記木材ベニヤ層（５、２１）の前記第２面（１５、３６）から前記木材ベニヤ層（５、２１）内に延びる前記木材ベニヤ層（５、２１）の第２部分には、前記接着剤層（３）からの前記接着剤（２）が実質的にない、請求項１又は２に記載の方法。
【請求項４】
プレス後、前記木材ベニヤ層（５、２１）の小孔又は導管の４０％未満、好ましくは前記木材ベニヤ層（５、２１）の小孔又は導管の３０％未満、更に好ましくは前記木材ベニヤ層（５、２１）の小孔又は導管の２０％未満が、前記木材ベニヤ層（５、２１）の前記第２部分（１２、３２）の前記接着剤層（３）からの前記接着剤（２）で充填される、請求項３に記載の方法。
【請求項５】
プレス後、前記木材ベニヤ層（５、２１）の前記第２部分（１２、３２）は、前記木材ベニヤ層（５、２１）の前記第２面（１５、３６）から前記木材ベニヤ層（５、２１）の厚さの７０％以上延びており、好ましくは前記木材ベニヤ層（５、２１）の厚さの８０％以上延びており、更に好ましくは前記木材ベニヤ層（５、２１）の厚さの９０％以上延びている、請求項３又は４に記載の方法。
【請求項６】
プレス後、前記第１部分（１１、３１）は、前記木材ベニヤ層（５、２１）の厚さの２０％以上延びており、好ましくは前記木材ベニヤ層（５、２１）の厚さの３０％以上延びている、請求項１乃至５のうちのいずれか一項に記載の方法。
【請求項７】
前記基材（１）は、少なくとも一つの木材ベニヤ層（２２、２３、２４）を含む、請求項１乃至６のうちのいずれか一項に記載の方法。
【請求項８】
前記基材（１）は、木質ボードを含む、請求項１乃至６のうちのいずれか一項に記載の方法。
【請求項９】
前記基材（１）は、紙シート又は不織布のシート等のシートを含む、請求項１乃至６のうちのいずれか一項に記載の方法。
【請求項１０】
前記接着剤層（３）は、樹脂含浸紙を含む、請求項１乃至９のうちのいずれか一項に記載の方法。
【請求項１１】
前記接着剤層（３）は、ホットメルト又は感圧接着剤等の熱可塑性バインダーを含む、請求項１乃至９のうちのいずれか一項に記載の方法。
【請求項１２】
前記接着剤層（３）は、熱硬化性バインダーを含む、請求項１乃至９のうちのいずれか一項に記載の方法。
【請求項１３】
ベニヤエレメント（１０、２０）において、
基材（１）と、
第１面（１４、３５）及び第２面（１５、３６）を持ち、前記第１面（１４、３５）は前記第２面（１５、３６）とは反対側である木材ベニヤ層（５、２１）と、
前記木材ベニヤ層（５、２１）の前記第１面（１４、３５）を前記基材（１）の表面に接着する接着剤層（３）とを含み、
前記接着剤層（３）からの前記接着剤（２）は、前記木材ベニヤ層（５、２１）の第１部分（１１、３１）に存在し、前記木材ベニヤ層（５、２１）の前記第１面（１４、３５）から前記木材ベニヤ層（５、２１）の厚さの１０％以上延びており、
前記木材ベニヤ層（５、２１）の前記第２面（１５、３６）には、前記接着剤層（３）からの前記接着剤（２）が実質的になく、
前記木材ベニヤ層（５、２１）は、その元の厚さの８０％以下の厚さまで圧縮される、ベニヤエレメント。
【請求項１４】
前記木材ベニヤ層（５，２１）の前記第２面（１５、３６）内に延びる前記木材ベニヤ層（５、２１）の小孔又は導管の４０％未満、好ましくは３０％未満、更に好ましくは２０％未満が、前記接着剤層（３）からの前記接着剤（２）で、前記木材ベニヤ層（５、２１）の前記第２面（１５、３６）まで充填される、請求項１３に記載のベニヤエレメント。
【請求項１５】
前記木材ベニヤ層（５、２１）の前記第２面（１５、３６）から前記木材ベニヤ層（５、２１）内に延びる前記木材ベニヤ層（５、２１）の第２部分には、前記接着剤層（３）からの前記接着剤（２）が実質的にない、請求項１３又は１４に記載のベニヤエレメント。
【請求項１６】
前記木材ベニヤ層（５、２１）の前記第２部分（１２、３２）は、前記木材ベニヤ層（５、２１）の前記第２面（１５、３６）から前記木材ベニヤ層（５、２１）の厚さの７０％以上延びており、好ましくは前記木材ベニヤ層（５、２１）の厚さの８０％以上延びており、更に好ましくは前記木材ベニヤ層（５、２１）の厚さの９０％以上延びている、請求項１５に記載のベニヤエレメント。
【請求項１７】
前記第１部分（１１、３１）は、前記木材ベニヤ層（５、２１）の厚さの２０％以上延びており、好ましくは前記木材ベニヤ層（５、２１）の厚さの３０％以上延びている、請求項１３乃至１６のうちのいずれか一項に記載のベニヤエレメント。
【請求項１８】
前記木材ベニヤ層（５、２１）は、密度が少なくとも１０００ｋｇ／ｍ３である、請求項１３乃至１７のうちのいずれか一項に記載のベニヤエレメント。
【請求項１９】
ベニヤエレメント（１０、２０）の製造方法において、
基材（１）と、第１面（１４、３５）及び第２面（１５、３６）を持ち、前記第１面（１４、３５）は前記第２面（１５、３６）とは反対側である木材ベニヤ層（５、２１）とを提供する工程と、
接着剤層（３）を前記基材（１）上及び／又は前記木材ベニヤ層（５、２１）の前記第１面（１４、３５）上に配置する工程と、
前記木材ベニヤ層（５、２１）を前記基材（１）にプレスする工程とを含み、
プレス後、前記接着剤層（３）からの接着剤（２）が、前記木材ベニヤ層（５、２１）の前記第１面（１４、３５）から前記木材ベニヤ層（５、２１）内に延びる前記木材ベニヤ層（５、２１）の第１部分（１１、３１）に存在し、
プレス後、前記木材ベニヤ層（５、２１）の前記第２面（１５、３６）には、前記接着剤層（３）からの前記接着剤（２）が実質的になく、
プレス後、前記木材ベニヤ層（５、２１）の前記第２面（１５、３６）から前記木材ベニヤ層（５、２１）の厚さの７０％以上延びる前記木材ベニヤ層（５、２１）の第２部分には、接着剤層（３）からの接着剤（２）が実質的にない、方法。
【請求項２０】
ベニヤエレメント（１０、２０）において、
基材（１）と、
第１面（１４、３５）及び第２面（１５、３６）を持ち、前記第１面（１４、３５）は前記第２面（１５、３６）とは反対側である木材ベニヤ層（５、２１）と、
前記木材ベニヤ層（５、２１）の前記第１面（１４、３５）を前記基材（１）の表面に接着する接着剤層（３）とを含み、
前記接着剤層（３）からの前記接着剤（２）は、前記木材ベニヤ層（５、２１）の前記第１面（１４、３５）から前記木材ベニヤ層（５、２１）内に延びる前記木材ベニヤ層（５、２１）の第１部分（１１、３１）に存在し、
前記木材ベニヤ層（５、２１）の前記第２面（１５、３６）には、前記接着剤層（３）からの前記接着剤（２）が実質的になく、
前記木材ベニヤ層（５、２１）の前記第２面（１５、３６）から前記木材ベニヤ層（５、２１）の厚さの７０％以上延びる前記木材ベニヤ層（５、２１）の第２部分には、前記接着剤層（３）からの前記接着剤（２）が実質的にない、ベニヤエレメント。